(57)【特許請求の範囲】
【請求項１】
固定枠の前部には可動枠が開閉可能に設けられ、可動枠には遊技盤を前方から収容する盤収容室が設けられ、盤収容室の背壁には中央開口部が前後方向への貫通孔として形成され、画像表示ユニットを左右方向に移動可能でかつ前後方向および上下方向に移動不能となるように摺接係合させる一対のレールが中央開口部の上縁部および中央開口部の下縁部に配置されて盤収容室の後部に固定され、払出ユニットにおける払出体を収容する収容部が中央開口部の上縁部におけるレールの上に近接して配置され、払出ユニットのタンクが可動枠に取り付けられ、払出ユニットのモータがタンクよりも上下方向に突出しないようにタンクの後部に取り付けられ、モータの駆動軸の軸心が払出体の軸心よりも上方に配置され、駆動軸と払出体とが互いに動力伝達機構で連結されたことを特徴とする遊技機枠。
【発明の詳細な説明】
【技術分野】
【０００１】
本発明は、画像表示器が大形であっても、タンクの球を貯蔵する容積が大きくなる遊技機枠に関する。
【背景技術】
【０００２】
図６は、特許文献１で開示されたパチンコ遊技機の遊技機枠８１を示す。図６において、遊技機枠８１が固定枠８２と可動枠８３とを備え、画像表示収容部８４と払出ユニット８５とが可動枠８３の後部に設けられ、画像表示ユニット８６が可動枠８３の画像表示収容部８４に収容され、払出ユニット８５が閉じられることによって、画像表示ユニット８６が可動枠８３の後部に装着され、払出ユニット８５のタンク８７が画像表示ユニット８６よりも上方に配置されるようになっている。しかしながら、可動枠８３が開閉される場合、タンク８７が固定枠８２に衝突しないようにする必要から、画像表示ユニット８６に用いられる画像表示器が大形になるのに伴い、タンク８７の上下方向の高さが小さくなり、タンク８７の球を貯蔵する容積が小さくなるという欠点がある。
【特許文献１】特開２００５−１３１３２８号公報
【発明の開示】
【発明が解決しようとする課題】
【０００３】
発明が解決しようとする問題点は、画像表示器が大形になるのに伴い、タンクの球を貯蔵する容積が小さくなるという点である。
【課題を解決するための手段】
【０００４】
本発明に係る遊技機枠は、固定枠の前部には可動枠が開閉可能に設けられ、可動枠には遊技盤を前方から収容する盤収容室が設けられ、盤収容室の背壁には中央開口部が前後方向への貫通孔として形成され、画像表示ユニットを左右方向に移動可能でかつ前後方向および上下方向に移動不能となるように摺接係合させる一対のレールが中央開口部の上縁部および下縁部に配置されて盤収容室の後部に固定され、払出ユニットにおける払出体を収容する収容部が中央開口部の上縁部におけるレールの上に近接して配置され、払出ユニットのタンクが可動枠に取り付けられ、払出ユニットのモータがタンクよりも上下方向に突出しないようにタンクの後部に取り付けられ、モータの駆動軸の軸心が払出体の軸心よりも上方に配置され、駆動軸と払出体とが互いに動力伝達機構で連結されたことを最も主要な特徴とする。
【発明の効果】
【０００５】
本発明に係る遊技機枠は、タンクが可動枠に取り付けられ、収容部が中央開口部の上縁部におけるレールの上に近接して配置されたことによって、大形な画像表示器が画像表示ユニットに用いられ、可動枠が開閉されるときにタンクが固定枠に衝突しないように、タンクの上下方向の高さが小さく構成されても、タンクの球を貯蔵する容積が大きくなるという利点がある。また、払出ユニットのタンクが可動枠に取り付けられ、払出ユニットのモータがタンクよりも上下方向に突出しないようにタンクの後部に取り付けられ、モータの駆動軸の軸心が払出体の軸心よりも上方に配置され、駆動軸と払出体とが互いに動力伝達機構で連結されたことによって、モータが画像表示ユニットにおける後側部品に干渉することなく、画像表示ユニットが着脱できるという利点がある。
【発明を実施するための最良の形態】
【０００６】
図１は、遊技機枠１における払出ユニット７の周りの断面を示す。図２は、パチンコ遊技機の前側を示す。図３は、可動枠３の後側および画像表示ユニット２８の後側を示す。図４は、画像表示ユニット２８の装着された可動枠３の後側を示す。図５は、払出ユニット７を分解して示す。本明細書における「前」、「後」、「左」、「右」、「上」、「下」の方向は、図２の状態に遊技機枠１を置いて矢印Ｓで示す前側から見た場合に特定される方向である。
【０００７】
図１を参照し、遊技機枠１における払出ユニット７の周りについて説明する。タンク３７が可動枠３に取り付けられ、収容部４７が中央開口部１７の上縁部におけるレール１８の上に近接して配置されているので、２０インチまたは２１インチなど大形な画像表示器２９が画像表示ユニット２８に用いられ、可動枠３が開閉されるときにタンク３７が固定枠２に衝突しないように、タンク３７の上下方向の高さが小さく構成されても、タンク３７の球を貯蔵する容積が大きくなるという利点がある。また、駆動軸７１の軸心が払出体３９の軸心よりも上方に配置され、駆動軸７１と払出体３９とが互いに駆動歯車４０および従動歯車４１からなる動力伝達機構で連結され、モータ４４および機構カバー４５がタンク３７よりも上下方向に突出しないように取り付けられ、払出ユニット７の後側部品を構成する制御装置３２；３３がレール１８よりも上方に突出しないように構成されているので、モータ４４および機構カバー４５が画像表示ユニット２８の後側部品に干渉することなく、画像表示ユニット２８が着脱できるという利点がある。
【０００８】
モータ４４が停止した場合、つまり、払出体３９が停止した場合、球が払い出されることなく貯蔵室４６に貯蔵される。球が貯蔵室４６に貯蔵された状態において、図外の遊技盤における入賞部品への入賞に伴い図外の主制御装置などの遊技制御装置から図外の払出制御装置に賞球を払い出す指示が入力されると、払出制御装置がモータ４４を駆動し、モータ４４が払出体３９を回転すると、払出体３９が球を１個ずつ分離しつつ球出口部４８に移動し、球が矢印Ｘ１で示すように球出口部４８から球検出器８０の球検出孔および球通路構造体１１を経由して受皿１２（図２参照）に払い出される。払出制御装置は、球検出器８０から入力された検出信号を計数し、計数値が遊技制御装置からの指示に対応する賞球払出数になると、モータ４４を停止し、払出体３９による球の払い出しが停止する。
【０００９】
図２を参照し、遊技機としてパチンコ遊技機を例として説明する。パチンコ遊技機は、遊技機枠１の内部に図外の遊技盤を交換可能に取り付ける形態である。遊技機枠１は、固定枠２の前部に可動枠３を開閉可能に備える。固定枠２は、遊技機設置設備に固定される。遊技機設置設備は、パチンコ遊技機を設置する遊技店の島と呼ばれる設備である。可動枠３は、遊技盤や図外の制御装置など遊技に必要な部品を取り付ける前枠とも呼ばれ、左側に位置するヒンジ４を中心とし、固定枠２の前で前方に開かれかつ後方に閉じられるように、片開き可能である。
【００１０】
可動枠３には、上扉５、下扉６、払出ユニット７、施錠装置８などが設けられる。上扉５および下扉６は、左側に位置する図外のヒンジを中心とし、可動枠３の前で前方に開かれかつ後方に閉じられるように、個別に片開き可能である。上扉５には、窓９、窓パネル１０、球通路構造体１１などが設けられる。下扉６には、受皿１２、発射操作機構１３などが設けられる。
【００１１】
パチンコ遊技の一例について説明する。図外の遊技盤が可動枠３に装着され、可動枠３と上扉５および下扉６が閉じられて固定枠２に開閉不能に支持されると、パチンコ遊技機が構成される。このパチンコ遊技機では、窓パネル１０と図外の遊技盤の前面との間における図外のガイドレールで囲まれた部分が遊技領域として構成される。この遊技領域は、図外の発射機構から発射された球の飛び交う空間とともに遊技機枠１の前方から窓９および窓パネル１０を通して視認し得る空間である。そして、遊技機枠１の設置された図外の遊技機設置構造体の補給機構から排出されたパチンコ球と呼ばれる球が払出ユニット７に貯蔵される。その状態において、遊技者が受皿１２にパチンコ球と呼ばれる球を入れ、遊技者が発射操作機構１３を操作するのに伴い、発射機構が発射操作機構１３の操作量に応じた発射力で駆動し、発射機構が受皿１２から遊技機枠１の内部に取り込まれた球を１個ずつ遊技盤の前面と窓パネル１０との間の遊技領域の上部に向けて発射する。遊技領域の上部に到達した球が、遊技領域を流下する過程において、図外の入賞部品に入賞すると、払出ユニット７が駆動して球を賞球として球通路構造体１１を経由して受皿１２に払い出す。
【００１２】
図３を参照し、可動枠３の後側について説明する。可動枠３には、払出ユニット７、部品取付部１５、盤収容室１６、中央開口部１７、一対のレール１８、コネクタユニット１９などが設けられる。払出ユニット７は、盤収容室１６の上部に配置され、可動枠３の後部に取り付けられる。部品取付部１５は、盤収容室１６よりも左下部に配置される。部品取付部１５には、図外の発射機構が前方に配置されるように設けられる。盤収容室１６は、前方に開口し、前後方向に奥行の有る箱形に構成される。盤収容室１６には、図外の遊技盤が前方から交換可能に取り付けられる。中央開口部１７は、盤収容室１６の背壁に前後方向への貫通孔として形成される。レール１８は、画像表示ユニット２８を左右方向に移動可能でかつ前後方向および上下方向に移動不能となるように摺接係合させる構造であって、中央開口部１７の上縁部および中央開口部１７の下縁部に配置され、盤収容室１６の後部に固定される。
【００１３】
コネクタユニット１９は、取付台２１、コネクタ２２；２３、一対の支柱２４を備える。取付台２１は、盤収容室１６の左側部に位置し、可動枠３の後部に固定される。複数のコネクタ２２；２３は、上下に分かれ、取付台２１に個別に取り付けられる。支柱２４は、コネクタ２２よりも上下に分けられかつ取付台２１から後方に突出するように、取付台２１に設けられる。支柱２４には、中継端子ユニット２５がヒンジ２６を中心として横方向に開閉可能に設けられる。中継端子ユニット２５が図示のように開けられると、コネクタ２２の後方が開放され、中継端子ユニット２５が閉じられると、コネクタ２２が中継端子ユニット２５で覆われる。
【００１４】
画像表示ユニット２８は、画像表示器２９が表示容器３０に収容され、画像表示器２９の表示画面が表示容器３０の前方から見える構造である。画像表示器２９は、２０インチまたは２１インチなど大形な液晶表示器などの面状表示器により構成される。表示容器３０は合成樹脂から構成される。表示容器３０の上縁部および下縁部は、滑動部３１として構成される。表示容器３０の後壁には、制御装置３２；３３が上下に分かれて着脱可能に取り付けられる。制御装置３２は、主制御装置からの出力によって音や光および画像による演出を統括する処理を実行する統括制御装置を構成し、合成樹脂からなる制御容器に電気部品の実装された回路基板を内蔵した構造である。制御装置３２における制御容器の左側部には、回路基板に実装されたコネクタ３４が露出する。制御装置３３は、遊技処理の全般を実行する主制御装置を構成し、合成樹脂からなる制御容器に電気部品の実装された回路基板を内蔵した構造である。制御装置３３における制御容器の左側部には、回路基板に実装されたコネクタ３５が露出する。
【００１５】
画像表示ユニット２８が可動枠３に取り付けられるには、画像表示ユニット２８の前部が前方に向けられ、画像表示ユニット２８の左側部が可動枠３の右側部に向けられる。そして、一対の滑動部３１が一対のレール１８に右側から嵌め込まれた後、画像表示ユニット２８が右から左方向に移動させられて可動枠３に取り付けられ（図４参照）、コネクタ３４がコネクタ２２に接続され、コネクタ３５がコネクタ２３に接続される。このようにコネクタ３４がコネクタ２２に接続され、コネクタ３５がコネクタ２３に接続され、画像表示ユニット２８が可動枠３に取り付けられた状態において、図２のパチンコ遊技機を前側から見ると、図４の画像表示ユニット２８の表示画面が図２の窓９や窓パネル１０および図外の遊技盤を通して視認できる。遊技盤がベニヤなどの木材を基材として構成された場合、遊技盤に設けられたセンター飾りなどにおける透視部分を通して図４の画像表示ユニット２８の表示画面が見えるようになる。遊技盤が透明な合成樹脂を基材として構成された場合、遊技盤を通して図４の画像表示ユニット２８の表示画面が見えるようになる。
【００１６】
図５を参照し、払出ユニット７について説明する。払出ユニット７は、タンク３７、軸受３８、払出体３９、駆動歯車４０、従動歯車４１、歯車カバー４２、位置検出ユニット４３、モータ４４、機構カバー４５を備える。タンク３７には、球を貯蔵する貯蔵室４６が設けられる。貯蔵室４６の底部には、収容部４７が貯蔵室４６の底部から下方に球を取り込むように窪む空間を形成する形状に設けられる。収容部４７の底部には球出口部４８が設けられる。収容部４７の前壁には取付孔４９が設けられる。取付孔４９には、軸受３８が装着される。収容部４７の後壁には、挿入孔５０、軸受孔５１、部品取付部５２；５３；５４などが設けられる。
【００１７】
払出体３９は、払出軸５５と螺旋体５６とからなる螺旋構造体として構成される。螺旋体５６は、払出軸５５の前後方向に延びる軸心と平行な方向に球を１個ずつ分離する間隔で払出軸５５の外周面から径方向外側に螺旋形状に突出する。払出軸５５の前端部には、軸部５７が設けられる。軸部５７が収容部４７の後方から挿入孔５０および収容部４７の内部を経由して軸受３８に嵌め込まれる。これによって、収容部４７の内部には、球を１個ずつ取り込む隙間が収容部４７と払出軸５５と螺旋体５６とで形成される。払出軸５５の収容部４７よりも後方に突出する後端部には、軸部５８が設けられる。軸部５８は、軸の周面の一部を平坦面として除去された異形として構成される。
【００１８】
駆動歯車４０は、平歯車として構成される。駆動歯車４０の中心部には、連結部５９が駆動歯車４０から後方に突出した筒として設けられる。連結部５９の中心部における孔は、モータ４４の駆動軸７１を連結する異形孔として形成される。連結部５９および駆動軸７１が互いに嵌め合わされることによって、駆動歯車４０および駆動軸７１が一緒に同じ方向に回転するように連結される。駆動歯車４０の中心部には、軸６０が駆動歯車４０から前方に突出して設けられる。軸６０は、軸受孔５１に嵌め込まれる。
【００１９】
従動歯車４１は、平歯車として構成される。従動歯車４１の中心部には、連結孔６１が前後方向へ貫通しかつ軸部５８を連結する異形孔として設けられる。軸部５８および連結孔６１が互いに嵌め合わされることによって、払出体３９および従動歯車４１が一緒に同じ方向に回転するように連結される。従動歯車４１の後面には、環状壁６２が連結孔６１を中心とした円形に設けられる。環状壁６２には、被検出部６３が設けられる。被検出部６３は、環状壁６２の直径線上に位置して相対峙する一対であって、環状壁６２の直径方向および後側に開口する溝として構成される。
【００２０】
歯車カバー４２には、逃避孔６４、軸受孔６５、検出用孔６６、取付足６７、部品取付部６８が設けられる。位置検出ユニット４３は、払出体３９の回転位置を検出するものであって、プリント配線基板に位置検出器６９および取付孔７０を備える。モータ４４は、ステップモータからなり、駆動軸７１および取付足７２を備える。機構カバー４５には、逃避孔７３、配線孔７４、取付足７５が設けられる。
【００２１】
払出ユニット７が組み立てられる場合、軸受３８が取付孔４９に装着され、払出体３９の軸部５７が挿入孔５０から収容部４７の内部を経由して軸受３８に嵌め込まれ、従動歯車４１が軸部５８に嵌め込まれ、駆動歯車４０の軸６０が軸受孔５１に嵌め込まれ、駆動歯車４０と従動歯車４１とが互いに噛み合せられる。そして、歯車カバー４２が駆動歯車４０および従動歯車４１を被覆し、駆動歯車４０の連結部５９が歯車カバー４２の逃避孔６４に挿入され、払出体３９の軸部５８が歯車カバー４２の軸受孔６５に嵌め込まれ、ねじ釘７６が取付足６７を経由してタンク３７の部品取付部５２に締結され、歯車カバー４２がタンク３７に固定され、払出体３９が軸受３８と軸受孔６５とで支持されて円滑に回転できる。
【００２２】
次に、モータ４４の駆動軸７１が駆動歯車４０の連結部５９に嵌め込まれ、ねじ釘７７がモータ４４の取付足７２を経由して部品取付部５３に締結され、モータ４４がタンク３７に固定され、駆動歯車４０が軸受孔５１と駆動軸７１とで支持されて円滑に回転できる。つまり、タンク３７の後壁面と駆動歯車４０、従動歯車４１、歯車カバー４２、位置検出ユニット４３およびモータ４４との間に別の部材が設けられることなく、駆動歯車４０、従動歯車４１、歯車カバー４２、位置検出ユニット４３およびモータ４４がタンク３７の後壁面に取り付けられているので、タンク３７の後壁面から後方に突出する寸法が小さくなるという利点がある。
【００２３】
また、ねじ釘７８が位置検出ユニット４３の取付孔７０を経由して歯車カバー４２の部品取付部６８に締結され、位置検出ユニット４３が歯車カバー４２に固定され、位置検出器６９が検出用孔６６を経由して被検出部６３を検出し得るように配置される。その後、機構カバー４５が歯車カバー４２とモータ４４および位置検出ユニット４３を被覆し、ねじ釘７９が取付足７５を経由して部品取付部５４に締結され、機構カバー４５がタンク３７に固定される。これによって、歯車カバー４２や位置検出ユニット４３およびモータ４４などが払出ユニット７の上方からの落下物に衝突しないように保護される。
【産業上の利用可能性】
【００２４】
図５において、駆動軸７１と払出体３９とに対する動力伝達機構として、駆動歯車４０および従動歯車４１を用いることなく、ベルトまたはチェーンなどで構成してもよい。ベルトの場合、タイミングベルトのような歯付きベルトを用いれば良好である。機構カバー４５が設けられなくてもよい。
【図面の簡単な説明】
【００２５】
【図１】遊技機枠における払出ユニットの周りの断面図（最良の形態）。
【図２】パチンコ遊技機の斜視図（最良の形態）。
【図３】可動枠と画像表示ユニットとを分解した遊技機枠の斜視図（最良の形態）。
【図４】可動枠に画像表示ユニットの装着された遊技機枠の斜視図（最良の形態）。
【図５】払出ユニットの分解斜視図（最良の形態）。
【図６】遊技機枠の斜視図（従来）。
【符号の説明】
【００２６】
１は遊技機枠、２は固定枠、３は可動枠、４はヒンジ、５は上扉、６は下扉、７は払出ユニット、８は施錠装置、９は窓、１０は窓パネル、１１は球通路構造体、１２は受皿、１３は発射操作機構、１４は欠番、１５は部品取付部、１６は盤収容室、１７は中央開口部、１８はレール、１９はコネクタユニット、２０は欠番、２１は取付台、２２；２３はコネクタ、２４は支柱、２５は中継端子ユニット、２６はヒンジ、２７は欠番、２８は画像表示ユニット、２９は画像表示器、３０は表示容器、３１は滑動部、３２は制御装置、３３は制御装置、３４；３５はコネクタ、３６は欠番、３７はタンク、３８は軸受、３９は払出体、４０は駆動歯車（動力伝達機構）、４１は従動歯車（動力伝達機構）、４２は歯車カバー、４３は位置検出ユニット、４４はモータ、４５は機構カバー、４６は貯蔵室、４７は収容部、４８は球出口部、４９は取付孔、５０は挿入孔、５１は軸受孔、５２は部品取付部、５３は部品取付部、５４は部品取付部、５５は払出軸、５６は螺旋体、５７；５８は軸部、５９は連結部、６０は軸、６１は連結孔、６２は環状壁、６３は被検出部、６４は逃避孔、６５は軸受孔、６６は検出用孔、６７は取付足、６８は部品取付部、６９は位置検出器、７０は取付孔、７１は駆動軸、７２は取付足、７３は逃避孔、７４は配線孔、７５は取付足、７６乃至７９はねじ釘、８０は球検出器、８１は遊技機枠、８２は固定枠、８３は可動枠、８４は画像表示収容部、８５は払出ユニット、８６は画像表示ユニット、８７はタンク。
【図１】
0005043579.tif 000002
【図２】
0005043579.tif 000003
【図３】
0005043579.tif 000004
【図４】
0005043579.tif 000005
【図５】
0005043579.tif 000006
【図６】
0005043579.tif 000007